(57)【要約】【課題】本発明は、防水性を有する血圧計の提供を目的とする。【解決手段】本発明に係る血圧計は、被検体の一部を押圧するカフに防水容器を用い、血圧計全体としても防水性を有することを特徴とする。具体的には、本発明に係る血圧計は、押圧容器の一面を被う押圧面で被検体の一部を押圧する押圧部と、前記押圧部が前記被検体の一部を押圧する圧力を検出する圧力計と、前記押圧部が押圧する前記被検体の一部での脈波を検出する脈波検出手段と、前記圧力計の検出する圧力及び前記脈波検出手段の検出する脈波から血圧値を決定する血圧決定手段と、を備え、前記押圧容器が内部への水の浸入を防ぐ材料からなり、前記押圧面が防水性の弾性材料からなることを特徴とする。【選択図】図１
2006192175.tif 000002
【特許請求の範囲】
【請求項１】
押圧容器の一面を被う押圧面で被検体の一部を押圧する押圧部と、
前記押圧部が前記被検体の一部を押圧する圧力を検出する圧力計と、
前記押圧部が押圧する前記被検体の一部での脈波を検出する脈波検出手段と、
前記圧力計の検出する圧力及び前記脈波検出手段の検出する脈波から血圧値を決定する血圧決定手段と、を備え、
前記押圧容器が内部への水の浸入を防ぐ材料からなり、前記押圧面が防水性の弾性材料からなることを特徴とする血圧計。
【請求項２】
前記圧力計、前記脈波検出手段及び前記血圧決定手段は、前記押圧容器の内部に配置されていることを特徴とする請求項１に記載の血圧計。
【請求項３】
前記圧力計、前記脈波検出手段又は前記血圧決定手段のいずれかは、防水性の接続部を介して前記押圧容器の内部と接続された防水性の収容容器に収容されていることを特徴とする請求項１に記載の血圧計。
【請求項４】
前記圧力計、前記脈波検出手段又は前記血圧決定手段のいずれかは、防水性の部材で構成され、防水性の接続部を介して前記押圧容器の内部と接続されている防水部を有することを特徴とする請求項１に記載の血圧計。
【請求項５】
前記接続部は、防水パッキンを有することを特徴とする請求項３又は４に記載の血圧計。
【請求項６】
前記接続部の外周にシーリング材が固着されていることを特徴とする請求項３又は４に記載の血圧計。
【請求項７】
前記防水性の弾性材料は、防水フィルムであることを特徴とする請求項１から６に記載のいずれかの血圧計。
【請求項８】
前記防水フィルムは、前記押圧容器の前記一面に対する側面を取巻く部分が、外側から締め付けるＯリングによって前記押圧容器と密着していることを特徴とする請求項７に記載の血圧計。
【請求項９】
前記押圧面の表面に撥水材料が塗布されていることを特徴とする請求項１から８に記載のいずれかの血圧計。
【請求項１０】
前記押圧容器は、不活性ガスで充填されていることを特徴とする請求項１から９に記載のいずれかの血圧計。
【請求項１１】
前記押圧容器への給気と前記押圧容器からの排気を行なう空気ポンプをさらに備え、
前記押圧部は、前記空気ポンプの行なう給気と排気によって伸縮することを特徴とする請求項１から１０に記載のいずれかの血圧計。
【請求項１２】
前記圧力計は、前記押圧容器の内気圧を検出する気圧計であることを特徴とする請求項１から１１に記載のいずれかの血圧計。
【請求項１３】
前記圧力計は、前記押圧面に印加される圧力を検出する圧電素子であることを特徴とする請求項１から１１に記載のいずれかの血圧計。
【請求項１４】
前記脈波検出手段は、発光素子から出射された光による前記被検体の一部での散乱光を受光して脈波を検出する受光素子を有することを特徴とする請求項１から１３に記載のいずれかの血圧計。
【請求項１５】
前記脈波検出手段は、前記押圧容器の内気圧の変化を検出して脈波を検出する気圧計を有することを特徴とする請求項１から１３に記載のいずれかの血圧計。
【請求項１６】
前記脈波検出手段は、前記押圧面に印加される圧力の変化を検出して脈波を検出する圧電素子を有することを特徴とする請求項１から１３に記載のいずれかの血圧計。
【請求項１７】
前記押圧部、前記圧力計及び前記脈波検出手段を所定時間ごとに動作させるタイマーをさらに備えることを特徴とする請求項１から１６に記載のいずれかの血圧計。
【請求項１８】
前記血圧決定手段の決定した血圧値を記憶する記憶手段をさらに備えることを特徴とする請求項１から１７に記載のいずれかの血圧計。
【請求項１９】
前記記憶手段に記憶されている血圧値を外部に出力する出力手段をさらに備えることを特徴とする請求項１８に記載の血圧計。
【請求項２０】
前記血圧決定手段の決定した血圧値を予め定めた上限値若しくは下限値と比較する比較手段と、
前記比較手段の比較した血圧値が前記上限値よりも高い場合又は前記下限値よりも低い場合にアラームを発するスピーカと、をさらに備えることを特徴とする請求項１から１９に記載のいずれかの血圧計。
【請求項２１】
前記押圧容器を外耳へ装着する外耳装着機構をさらに備えることを特徴とする請求項１から２０に記載のいずれかの血圧計。
【請求項２２】
前記押圧容器を人体へ装着する人体装着機構をさらに備えることを特徴とする請求項１から２１に記載のいずれかの血圧計。
【発明の詳細な説明】
【技術分野】
【０００１】
本発明は、防水性を有する血圧計に関する。
【背景技術】
【０００２】
高齢化が進み、成人の生活習慣病への対応が社会的に大きな課題となっている。特に高血圧に関連する疾患の場合、長期の血圧値の収集が非常に重要である点が認識されている。このような観点から、血圧を始めとした各種の生体情報の測定装置が開発されている。
【０００３】
日常生活を妨げないで継続的に血圧値を測定する装置として、外耳道又は外耳中の他の部位に装着する患者モニタ装置が提案されている（例えば、特許文献１参照。）。この装置は、脈拍、脈波、心電、体温、動脈血酸素飽和度、血圧値等の生体情報を、被検体内での散乱光から検出するものである。ただし、この提案では、血圧値の具体的な測定手段については明記されていない。
【０００４】
長期の血圧値の収集では、入浴時での血圧値の変動が重要となる。例えば、暖房のきいた暖かい部屋から寒い脱衣室に移動した際には、血圧値は急激に上昇する。また、浴室内で起立性低血圧を発症することもある。
【０００５】
しかし、従来の血圧計は、所定の姿勢で静止して測定するのが前提であるので、入浴時での測定には対応していなかった。特に被検体を押圧するカフは、布製で水を吸収するので、浸水する可能性の高い場所での使用はできなかった。
【０００６】
ここで、耳介の名称は非特許文献１、２、３による。
【特許文献１】特開平９−１２２０８３号公報
【非特許文献１】Ｓｏｂｏｔｔａ  図説人体解剖学第１巻（監訳者：岡本道雄）、ｐ．１２６、（株）医学書院、１９９６年１０月１日発行
【非特許文献２】Ｓｏｂｏｔｔａ  図説人体解剖学第１巻（監訳者：岡本道雄）、ｐ．１２７、（株）医学書院、１９９６年１０月１日発行
【非特許文献３】からだの地図帳  （監修・解説：高橋長雄）、ｐ．２０、（株）講談社、２００４年１月２９日発行
【発明の開示】
【発明が解決しようとする課題】
【０００７】
本発明は、上記問題点を解決するものであり、防水性を有する血圧計を提供することを目的とする。
【課題を解決するための手段】
【０００８】
本発明に係る血圧計は、被検体の一部を押圧するカフに防水容器を用い、血圧計全体としても防水性を有することを特徴とする。
【０００９】
具体的には、本発明に係る血圧計は、押圧容器の一面を被う押圧面で被検体の一部を押圧する押圧部と、前記押圧部が前記被検体の一部を押圧する圧力を検出する圧力計と、前記押圧部が押圧する前記被検体の一部での脈波を検出する脈波検出手段と、前記圧力計の検出する圧力及び前記脈波検出手段の検出する脈波から血圧値を決定する血圧決定手段と、を備え、前記押圧容器が内部への水の浸入を防ぐ材料からなり、前記押圧面が防水性の弾性材料からなることを特徴とする。
【００１０】
押圧部は、内部への水の浸入を防ぐ材料からなる押圧容器及び防水性の弾性材料からなる押圧面とで構成されるので、内部への水の浸入を防ぐ防水容器を押圧部として用いることができる。押圧部として防水容器を用いることにより、防水性を有する血圧計を提供することができる。
【００１１】
前記圧力計、前記脈波検出手段及び前記血圧決定手段は、前記押圧容器の内部に配置されていることが好ましい。
【００１２】
本発明により、圧力計自体、脈波検出手段自体及び血圧決定手段自体が防水性を有しない場合でも、防水性を有する押圧容器に収容することで、全体として防水性を有する血圧計を提供することができる。
【００１３】
前記圧力計、前記脈波検出手段又は前記血圧決定手段のいずれかは、防水性の接続部を介して前記押圧容器の内部と接続された防水性の収容容器に収容されていることが好ましい。
【００１４】
本発明により、圧力計自体、脈波検出手段自体又は血圧決定手段自体が防水性を有さない場合でも、押圧容器と分離した防水性を有する収容容器に収容することにより、全体として防水性を有する血圧計を提供することができる。
【００１５】
前記圧力計、前記脈波検出手段又は前記血圧決定手段のいずれかは、防水性の部材で構成され、防水性の接続部を介して前記押圧容器の内部と接続されている防水部を有することが好ましい。
【００１６】
本発明により、圧力計、脈波検出手段又は血圧決定手段のいずれかが防水部を有する場合に、当該防水部を押圧容器の外部に配置できる。これにより、圧力計及び／又は脈波検出手段は、防水部から圧力又は脈波を検出できるので、検出感度を向上することができる。
【００１７】
前記接続部は、防水パッキンを有することが好ましい。また、前記接続部の外周にシーリング材が固着されていることが好ましい。
【００１８】
本発明により、防水パッキン及び／又はシーリング材で水の浸入する可能性のある間隙を塞ぐので、接続部の防水性能を向上することができる。
【００１９】
前記防水性の弾性材料は、防水フィルムとしてもよい。
【００２０】
本発明により、防水性を維持しつつ、被検体の一部を効率的に押圧することができる。
【００２１】
前記押圧面の表面に撥水材料が塗布されていることが好ましい。
【００２２】
本発明により、押圧面の防水性能を向上することができる。
【００２３】
前記防水フィルムは、前記押圧容器の前記一面に対する側面を取巻く部分が、外側から締め付けるＯリングによって前記押圧容器と密着していることが好ましい。
【００２４】
本発明により、押圧容器と押圧面をより密着させることができるので、押圧容器及び押圧面の防水性能を向上することができる。
【００２５】
前記押圧容器は、不活性ガスで充填されていることが好ましい。
【００２６】
本発明により、押圧容器内に配置されている部品について、金属の酸化等の変質を防ぐことができる。
【００２７】
前記押圧容器への給気と前記押圧容器からの排気を行なう空気ポンプをさらに備え、前記押圧部は、前記空気ポンプの行なう給気と排気によって伸縮することが好ましい。
【００２８】
本発明により、空気ポンプで押圧部及び／又は押圧容器を伸縮させることにより被検体の一部を押圧することができる。
【００２９】
前記圧力計は、前記押圧容器の内気圧を検出する気圧計としてもよい。
【００３０】
本発明により、被検体の一部から離れた場所で被検体の一部を押圧する圧力を検出することができる。
【００３１】
前記圧力計は、前記押圧面に印加される圧力を検出する圧電素子であることが好ましい。
【００３２】
本発明により、圧電素子は構造が簡単なので、圧力計及び血圧計を小型化することができる。
【００３３】
前記脈波検出手段は、発光素子から出射された光による前記被検体の一部での散乱光を受光して脈波を検出する受光素子を有することが好ましい。
【００３４】
本発明により、被検体の振動の影響の少ない脈波検出ができる。
【００３５】
前記脈波検出手段は、前記押圧容器の内気圧の変化を検出して脈波を検出する気圧計を有することが好ましい。
【００３６】
本発明により、被検体の一部から離れた場所で被検体の一部の脈波を検出することができる。
【００３７】
前記脈波検出手段は、前記押圧面に印加される圧力の変化を検出して脈波を検出する圧電素子を有することが好ましい。
【００３８】
本発明により、圧電素子は構造が簡単なので、脈波検出手段及び血圧計を小型化することができる。
【００３９】
前記押圧部、前記圧力計及び前記脈波検出手段を所定時間ごとに動作させるタイマーをさらに備えることが好ましい。
【００４０】
本発明により、外部から起動することなく、自動で所定時間ごとに血圧値を測定することができる。
【００４１】
前記血圧決定手段の決定した血圧値を記憶する記憶手段をさらに備えることが好ましい。
【００４２】
本発明により、測定した血圧値を自動的に記録することができる。
【００４３】
前記記憶手段に記憶されている血圧値を外部に出力する出力手段をさらに備えることが好ましい。
【００４４】
本発明により、記録した血圧値を外部に出力することができる。
【００４５】
前記血圧決定手段の決定した血圧値を予め定めた上限値若しくは下限値と比較する比較手段と、前記比較手段の比較した血圧値が前記上限値よりも高い場合又は前記下限値よりも低い場合にアラームを発するスピーカと、をさらに備えることが好ましい。
【００４６】
本発明により、異常な血圧値が測定された場合に、本人又は他人へ迅速に知らせることができる。
【００４７】
前記押圧容器を外耳へ装着する外耳装着機構をさらに備えることが好ましい。
【００４８】
本発明により、血圧計を常時外耳へ装着し、外耳で継続的に血圧値を測定することができる。
【００４９】
前記押圧容器を人体へ装着する人体装着機構をさらに備えることが好ましい。
【００５０】
本発明により、血圧計を常時人体へ装着し、継続的に血圧値を測定することができる。
【発明の効果】
【００５１】
本発明によれば、被検体の一部を押圧するカフに防水容器を用いることにより、防水性を有する血圧計を提供することができる。
【発明を実施するための最良の形態】
【００５２】
添付の図面を参照して本発明の実施の形態を説明する。以下に説明する実施の形態は本発明の構成の例であり、本発明は、以下の実施の形態に制限されるものではない。
【００５３】
（実施形態１）
図１は、実施形態１に係る血圧計の模式図である。実施形態１に係る血圧計９１は、押圧容器３２の一面を被う押圧面３１で被検体１０１の一部を押圧する押圧部１１と、押圧部１１が被検体１０１の一部を押圧する圧力を検出する圧力計１２と、押圧部１１が押圧する被検体１０１の一部での脈波を検出する脈波検出手段１３と、圧力計１２の検出する圧力及び脈波検出手段１３の検出する脈波から血圧値を決定する血圧決定手段１４と、を備え、押圧容器３２が内部への水の浸入を防ぐ材料からなり、押圧面３１が防水性の弾性材料からなることを特徴とする。図１では、血圧計９１が被検体１０１の一部を押圧方向１１１へ向かって押圧している様子を示す。
【００５４】
また、血圧計９１では、押圧部１１、圧力計１２及び脈波検出手段１３を所定時間ごとに動作させるタイマー１６と、血圧決定手段１４の決定した血圧値を記憶する記憶手段１７と、記憶手段１７に記憶されている血圧値を外部に出力する出力手段１８と、血圧決定手段１４の決定した血圧値を予め定めた上限値若しくは下限値と比較する比較手段１９と、比較手段１９の比較した血圧値が上限値よりも高い場合又は下限値よりも低い場合にアラームを発するスピーカ２０と、押圧容器３２への給気と押圧容器３２からの排気を行なう空気ポンプ２１と、空気ポンプ２１の給排気口２２と、ガスボンベ２６とを含む。
【００５５】
血圧計９１において、圧力計１２、脈波検出手段１３及び血圧決定手段１４は、例えば、押圧容器３２の内部に配置されている。このような配置にすることにより、圧力計１２、脈波検出手段１３及び血圧決定手段１４への浸水を防ぐことができる。また、圧力計１２、脈波検出手段１３又は血圧決定手段１４のいずれかは、防水性の接続部（不図示）を介して押圧容器３２の内部と接続された防水性の収容容器（不図示）に収容されていてもよい。このような配置にすることにより、圧力計１２、脈波検出手段１３又は血圧決定手段１４を、分離して配置することができる。また、圧力計１２、脈波検出手段１３又は血圧決定手段１４のいずれかは、防水性の部材で構成され、防水性の接続部（不図示）を介して押圧容器の内部と接続されている防水部（不図示）を有していてもよい。このような配置にすることにより、圧力計１２、脈波検出手段１３又は血圧決定手段１４のいずれかを、押圧容器３２の外部に配置できる。これにより、圧力計１２又は脈波検出手段１３の検出感度を向上することもできる。
【００５６】
タイマー１６は、圧力計１２と、脈波検出手段１３と、血圧決定手段１４と、押圧部１１を伸縮させる空気ポンプ２１とに接続されている。図１では、タイマー１６が押圧部１１を動作させるものとして空気ポンプ２１に接続されている例を示した。押圧部１１を動作させるものとしてタイマー１６を接続するのは、空気ポンプ２１に限定するものではなく、押圧部１１を被検体１０１の一部に押圧する動力源であればよい。例えば、押圧面３１がアクチュエータで変形するものであれば、アクチュエータを駆動するものである。
【００５７】
比較手段１９は、図１では、血圧決定手段１４と接続されているが、これに限定されるものではない。例えば、血圧決定手段１４の代わりに記憶手段１７と接続されていてもよい。この場合は、記憶手段１７に入力された血圧値を比較する。
【００５８】
押圧面３１は、防水性の弾性材料からなる部材である。防水性の弾性材料は、例えば、ゴム又はプラスチック等の樹脂である。さらに押圧面３１は、水を透過しないものである。防水性の弾性材料は、防水フィルムであることが好ましい。例えばプラスチックフィルムである。弾性材料であることで、被検体１０１の一部を効率よく押圧し、被検体１０１の一部の動脈を効率よく圧迫することができる。さらに、押圧面３１の表面に撥水材料が塗布されていることが好ましい。撥水材料としては、シリコン又はフッ素が例示できる。撥水材料を塗布することにより、押圧面３１の防水性能を向上することができる。
【００５９】
押圧容器３２は、内部への水の浸入を防ぐ材料からなる容器である。さらに押圧容器３２は、内部へ水を浸入させないものである。押圧容器３２の材料としては、例えば、ゴム、プラスチック等の樹脂、ステンレス等の腐食しにくい金属、ガラスがある。押圧容器３２の形状は限定するものではなく、例えば、円筒形とすることができる。
【００６０】
また、押圧容器３２は、不活性ガスで充填されていることが好ましい。不活性ガスとしては、窒素ガス、ヘリウムガスが例示できる。押圧容器３２を不活性ガスで充填することにより、押圧容器３２内に配置されている部品について、金属の酸化等の変質を防ぐことができる。また、押圧容器３２は、血圧値測定の際に被検体１０１の一部を押圧する支持体となるので、押圧する圧力に耐えうる強度を有することが好ましい。また、押圧容器３２は、変形可能なものであってもよい。例えば、押圧方向１１１に伸縮するものである。また、押圧方向１１１を含め、２次元方向に伸縮するものでもよいし、３次元方向に伸縮するものでもよい。
【００６１】
押圧部１１は、押圧容器３２及び押圧面３１で構成され、押圧容器３２内への水の浸入を防ぐことのできる全体として防水性を有するものである。例えば、押圧容器３２の外壁面の一部が押圧面３１となっているものである。また、押圧容器３２の開口部に押圧面３１が配置されており、押圧容器３２及び押圧面３１が一体となって押圧容器３２内への水の浸入を防ぐものでもよい。押圧容器３２及び押圧面３１は一体化されていてもよいが、分離可能なものでもよい。また、押圧面３１は、１箇所でもよいが、２箇所以上あってもよい。
【００６２】
図２は、実施形態１に係る押圧部の他形態の一例を示す模式図である。押圧部１１ａは、押圧容器３２ａと、押圧容器３２ａの開口面を覆う押圧面３１ａとで構成されている。押圧容器３２ａは、押圧方向１１１に伸縮する。押圧面３１ａは、押圧容器３２ａの開口面に対する側面を取巻く部分が、押圧面３１ａの外側からＯリング４１によって押圧容器３２ａに締め付けられて密着している。さらに、押圧面３１ａは防水フィルムとなっている。押圧部をこのような構成にすることで、押圧容器３２ａと押圧面３１ａの密着度が上がるので、押圧部１１ａの防水性能を向上することができる。
【００６３】
なお、押圧部１１は、押圧容器３２が変形するものでもよいが、押圧面３１が変形して被検体１０１の一部を押圧するものでもよい。また、別に設けた支持体に対して押圧部１１が移動することにより、押圧部１１が被検体１０１の一部を押圧するものでもよい。
【００６４】
空気ポンプ２１は、押圧容器３２への給気と押圧容器３２からの排気を行なうものである。押圧容器３２への給気によって押圧部１１の内気圧を増加し、押圧容器３２からの排気によって押圧部１１の内気圧を減少させる。空気ポンプ２１で押圧容器３２を伸縮させることにより被検体１０１の一部を押圧することができる。さらに空気ポンプ２１は、給気用のガスボンベ２６から空気を供給することが好ましい。ガスボンベ２６から給気することにより、水中でも押圧容器３２へ空気を供給することができる。なお、ガスボンベ２６の供給する空気は、不活性ガスであることが好ましい。
【００６５】
圧力計１２は、押圧部１１が被検体１０１の一部を押圧する圧力を検出するものである。押圧部１１が空気圧によって被検体１０１の一部を押圧する場合は、例えば、圧力計１２は、押圧容器３２の内気圧を検出する気圧計とすることができる。この場合、押圧容器３２の内部で内気圧を検出してもよいが、押圧容器３２の内部と気圧が等しくなるように接続されている空気チューブの内気圧を検出することにより、押圧容器３２の内部で内気圧を検出することもできる。このように、押圧容器３２の内気圧を検出することで、被検体１０１の一部から離れた場所でも被検体１０１の一部を押圧する圧力を検出することができる。例えば、圧力計１２は、押圧面３１に印加される圧力を検出する圧電素子としてもよい。圧力計１２を圧電素子とすることで、圧電素子は構造が簡単なので、圧力計１２を小型化することができる。さらに、押圧部１１にアクチュエータ等の機械的機構を用いることができるので、血圧計９１を小型化することができる。圧電素子としては、感圧導電ゴムが例示できる。圧電素子として感圧導電ゴムを用いれば、防水性の弾性材料として押圧面３１に配置して、押圧面に加わる圧力を検出できる。
【００６６】
脈波検出手段１３は、押圧部１１が押圧する被検体１０１の一部での脈波を検出するものである。例えば、動脈での光の吸収、動脈での光の散乱、コロトコフ音、圧脈（心臓の拍動に同調した血管壁の振動）を検出するものである。
【００６７】
脈波検出手段１３は、発光素子から出射された光による被検体１０１の一部での散乱光を受光して脈波を受光素子で検出するものが好ましい。発光素子は、例えば、ヘモグロビンで吸収される波長や、血管壁で散乱される波長を発光するものである。受光素子は、散乱光を受光するものである。発光素子、受光素子とも複数有してもよく、ドップラーレーダーであってもよい。被検体１０１の一部での散乱光を受光して脈波を検出することにより、被検体１０１の振動の影響の少ない脈波検出ができる。また、末梢血管での脈波検出の精度を向上することができる。
【００６８】
また、脈波検出手段１３は、押圧容器３２の内気圧の変化を検出して脈波を検出する気圧計を有するものが好ましい。圧力計１２が脈波を検出することのできる気圧計であれば、圧力計１２を脈波検出手段として用いることができる。脈波検出手段１３に気圧計を用いることにより、押圧容器３２の内部と気圧が等しくなるように接続されている空気チューブの内気圧を検出して、被検体１０１の一部から離れた場所で被検体の一部１０１の脈波を検出することができる。
【００６９】
また、脈波検出手段１３は、押圧面３１に印加される圧力の変化を検出して脈波を検出する圧電素子を有するものが好ましい。圧力計１２が脈波を検出することのできる圧電素子であれば、圧力計１２を脈波検出手段として用いることができる。脈波検出手段１３に圧電素子を用いることにより、脈波検出手段１３の構造を簡単にすることができる。また、脈波検出手段１３を小型化することができる。
【００７０】
血圧決定手段１４は、圧力計１２の検出する圧力及び脈波検出手段１３の検出する脈波から血圧値を決定するものである。血圧決定手段１４の一例について、図３を用いて説明する。図３は、脈波検出手段の検出する脈波の一例を示すグラフであり、（ａ）は圧力の時間推移、（ｂ）は脈動波形振幅の時間推移を示す。図３（ａ）では、心臓の鼓動による被検体の一部の周期的な動脈内圧６１と、押圧部が被検体の一部を押圧する押圧圧力６２と、が示されている。図３（ｂ）は、脈波検出手段の検出した脈動波形６３が示されている。押圧部は、被検体の一部を押圧する圧力を増加させ、動脈の血流が停止する程の圧力Ｐ０まで被検体の一部を圧迫する。この圧力Ｐ０を測定開始圧力値Ｐ０とする。このときの時間はＴ０であり、時間Ｔ０では図３（ｂ）に示した脈動波形６３はほぼ検出されなくなる。
【００７１】
時間Ｔ０を境にして、押圧部は被検体の一部を押圧する押圧圧力６２を徐々に減少させる。押圧圧力６２が心臓の鼓動により脈動する動脈内圧６１の最高値と等しくなった時間Ｔ１で被検体の一部に血液が流れ始め、脈動波形６３が出現する。この時間Ｔ１での押圧圧力６２が収縮期血圧値Ｐ１となる。
【００７２】
時間Ｔ１から脈動波形６３の振幅は徐々に大きくなり、時間Ｔ２で最大となる。この時間Ｔ２での押圧圧力６２が、拡張期血圧値Ｐ２となる。血圧決定手段１４が収縮期血圧値Ｐ１及び拡張期血圧値Ｐ２を決定し、血圧値を決定することができる。なお、血圧値を決定する方法は上記に限定されるものではなく、徐々に押圧圧力６２を増加させるものでもよい。
【００７３】
図１に示したタイマー１６は、押圧部１１、圧力計１２及び脈波検出手段１３を所定時間ごとに動作させるものである。タイマー１６が動作させるのは、押圧部１１、圧力計１２及び脈波検出手段１３に限られず、血圧値の測定に必要な部品を動作させる。所定時間ごとは、所定の時刻ごととしてもよい。これにより、血圧計９１は、外部から起動することなく、所定時間ごとに自動で血圧値を測定することができる。
【００７４】
記憶手段１７は、血圧決定手段１４の決定した血圧値を記憶するものである。例えば、磁気テープ、ハードディスク、半導体メモリー又は光ディスクである。記憶手段１７をさらに備えることで、測定した血圧値を自動的に記録することができる。
【００７５】
出力手段１８は、記憶手段１７に記憶されている血圧値を外部に出力するものである。例えば、ＵＳＢ端子等のデータ入出力端子、ネットワークのデータ送受信装置又は表示装置である。データ入出力端子等の導電性部品が露出するものの場合は、導電性部品の水との接触を防ぐキャップを備えることが好ましい。出力手段１８は、赤外線又は電波による無線通信装置であることが好ましい。無線通信装置とすることにより、導電性部品が露出するのを防ぐことができる。このような出力手段をさらに備えることで、記録した血圧値を外部に出力することができる。
【００７６】
比較手段１９は、血圧決定手段１４の決定した血圧値を予め定めた上限値若しくは下限値と比較するものである。例えば、比較回路である。比較する上限値は、例えば被検体の正常な収縮期血圧値である。比較する下限値は、例えば被検体の正常な拡張期血圧値である。さらに、予め定めた上限値若しくは下限値は、記憶手段１７で記憶した血圧値としてもよい。
【００７７】
スピーカ２０は、比較手段１９の比較した血圧値が上限値よりも高い場合、又は比較手段１９の比較した血圧値が下限値よりも低い場合に、アラームを発するものである。例えば、聴覚で認識できる手段を用いて通報するものであり、音声又はアラーム音を発するものである。さらに視覚で認識できる手段を用いて通報するものでもよく、例えばランプが光るものでもよいし、表示装置に異常な血圧値が測定された旨を表示するものでもよい。スピーカ２０をさらに備えることで、正常な血圧値の範囲から外れた異常な血圧値が測定された場合に、本人又は他人へ迅速に知らせることができる。
【００７８】
血圧計９１の動作の一例について説明する。押圧容器３２は、押圧面３１が被検体１０１の一部と接するように被検体１０１に装着されている。被検体１０１の一部は、例えば外耳である。所定の時間になったとき、タイマー１６が空気ポンプ２１の動作を開始する。空気ポンプ２１は、押圧容器３２に空気を供給し、押圧容器３２の内気圧を増加させる。押圧面３１は内気圧の増加により押圧容器３２外へと押し出され、被検体１０１の一部を押圧する。所定の時間になったとき、圧力計１２は押圧容器３２内の圧力を検出し始める。また、脈波検出手段１３も脈波の検出を始める。血圧決定手段１４は、検出した圧力及び脈波を用いて血圧値を決定する。記憶手段１７は、血圧決定手段１４の決定した血圧値を記憶する。ここで、例えば血圧値を日時と共に記憶してもよい。比較手段１９は、血圧決定手段１４の決定した血圧値を予め定めた上限値若しくは下限値と比較する。スピーカ２０は、比較手段の比較した血圧値が上限値よりも高い場合又は下限値よりも低い場合にアラームを発する。出力手段１８は、記憶手段１７に記憶された日時及び血圧値を病院に設置された受信装置に無線通信装置で出力する。
【００７９】
以上説明したように、防水性を有する押圧部１１で被検体１０１の一部を押圧し、防水性を有する押圧容器３２の内部に配置された圧力計１２、脈波検出手段１３及び血圧決定手段１４を用いて血圧値を測定することができる。このような構成にすることにより、全体として防水性を有する血圧計を提供できる。
【００８０】
（実施形態２）
図４は、実施形態２に係る血圧計の一例を示す模式図である。本実施形態に係る血圧計９２は、血圧決定手段１４が防水性の接続部３４を介して押圧容器３２ｂの内部と接続された防水性の収容容器３３に収容されている。図４では、圧力計１２及び脈波検出手段１３が押圧容器３２ｂ内に配置され、血圧決定手段１４が収容容器３３に収容されているが、これに限定されるものではない。例えば、血圧決定手段１４の代わりに、圧力計１２又は脈波検出手段１３が収容容器３３に収容されていてもよい。また、血圧決定手段１４、圧力計１２及び脈波検出手段１３が収容容器３３に収容されていてもよい。
【００８１】
また、接続部３４は、押圧容器３２ｂの底部に配置されているが、これに限定されない。例えば、接続部３４は、押圧容器３２ｂの側面に配置されてもよいし、押圧面３１に配置されてもよい。
【００８２】
収容容器３３は、内部への水の浸入を防ぐ容器である。材料としては、例えば、ゴム又はプラスチック等の樹脂がある。収容容器３３は、圧力計１２、脈波検出手段１３又は血圧決定手段１４と一体化されているものでもよい。収容容器３３内への水の浸入を効果的に防ぐため、収容容器３３の開口部は、接続部３４のみであることが好ましい。
【００８３】
接続部３４は、押圧容器３２ｂへの水の浸入を防いで押圧容器３２ｂの内部と接続するものである。例えば、押圧容器３２ｂの内部及び収容容器３３の内部への水の浸入を防いで、押圧容器３２ｂの内部及び収容容器３３の内部を接続する接続手段である。例えば、ナット等の接合部材、防水性の管である。接続部３４は、防水パッキン４２を有することが好ましい。防水パッキン４２は、防水性の弾性材料で押圧容器３２ｂ及び収容容器３３の接合部分を密着させるものである。防水パッキン４２は、例えば、アクリル系、ウレタン系、油性系、ポリサルファイド系のシーリング材からなるものである。図中の防水パッキン４２ａ及び防水パッキン４２ｂは、例えば、一体となってリング状の防水パッキン４２を構成している。
【００８４】
図５は、実施形態２に係る他の血圧計の一例を示す模式図である。図５に示す血圧計９３は、図４に示した防水パッキンを有する接続部３４の外周にシーリング材４３が固着されている。シーリング材は、例えば、アクリル系、ウレタン系、油性系、ポリサルファイド系がある。接続部３４の外周にシーリング材を固着することにより、接続部３４の防水性能を向上することができる。なお、接続部３４は、防水パッキンを用いず、シーリング材を固着するのみでもよい。
【００８５】
以上説明したように、圧力計、脈波検出手段又は血圧決定手段のいずれかが、防水性の接続部を介して押圧容器の内部と接続された防水性の収容容器に収容されていることにより、全体として防水性を有する血圧計を提供することができる。このように圧力計、脈波検出手段又は血圧決定手段のいずれかを分離することにより、被検体の一部への加重を軽減することができる。例えば、押圧容器を耳輪の表側に装着し、収容容器を耳輪の裏側に装着して、耳輪の表と裏とで加わる重量の差を軽減することができる。
【００８６】
（実施形態３）
図６は、実施形態３に係る血圧計の一例を示す模式図である。本実施形態に係る血圧計９４は、圧力計１２が、防水性の部材で構成され、防水性の接続部３５を介して押圧容器３２ｃの内部と接続されている防水部５１を有する。圧力計１２は、押圧容器３２ｃの外部に配置された防水部５１と押圧容器３２ｃの内部に配置された非防水部５２とで構成され、防水部５１と非防水部５２とが防水パッキン４２を有する接続部３５を介して接続されている。
【００８７】
図６では、接続部３５は、押圧面３１に配置されているが、これに限定されない。例えば、接続部３５は、押圧容器３２ｃの側面に配置されてもよいし、押圧容器３２ｃの底部に配置されてもよい。また、図６では、圧力計１２が防水部５１を有するが、これに限定されるものではない。例えば、図１に示す脈波検出手段１３又は血圧決定手段１４のいずれかが防水部を有していてもよい。また、脈波検出手段又は血圧決定手段のいずれか２つが防水部を有していてもよい。また、血圧決定手段、圧力計及び脈波検出手段が防水部を有していてもよい。
【００８８】
防水部５１は、防水性の部材である。例えば、金属、ゴム、樹脂、ガラスである。図１に示した圧力計１２が防水部を有する場合、防水部として、感圧導電ゴムが例示できる。図１に示した脈波検出手段１３が防水部を有する場合、防水部として、透明のシリコン樹脂に半導体素子が埋め込まれている発光素子が例示できる。さらに、出力手段、スピーカが防水部を有していてもよい。
【００８９】
図７は、実施形態３に係る他の血圧計の一例を示す模式図である。図７に示す血圧計９５は、接続部３５の外周にシーリング材４３が固着されている。接続部３５は、防水パッキンを有する接続部の外周にシーリング材を固着してもよい。このように、シーリング材４３を固着することにより、接続部３５の防水性能を向上することができる。
【００９０】
図６に示す非防水部５２は、圧力計１２の防水部５１に含まれない部分である。非防水部５２は、押圧容器３２ｃの内部に配置されるので防水性を有しなくてもよいが、防水性を有していてもよい。
【００９１】
接続部３５は、接続部３４と同様のものを用いることができる。本実施形態では、押圧容器３２ｃの内部と防水部５１を、押圧容器３２ｃの内部への水の浸入を防ぎながら接続するものである。
【００９２】
なお、上記実施形態３で説明した血圧計９４又は血圧計９５は、実施形態２で説明した収容容器をさらに備えてもよい。
【００９３】
以上説明したように、圧力計、脈波検出手段又は血圧決定手段のいずれかが、防水性の部材で構成され、防水性の接続部を介して押圧容器の内部と接続されている防水部を有することにより、防水部が押圧容器の外部に露出しており、全体として防水性を有する血圧計を提供することができる。圧力計、脈波検出手段又は血圧決定手段のいずれかを押圧容器の外部に配置することにより、圧力計又は脈波検出手段の検出感度を向上することもできる。
【００９４】
（実施形態４）
図８は、実施形態４に係る血圧計の一例を示す模式図である。本実施形態の血圧計９６は、押圧容器３２を外耳１０２へ装着する外耳装着機構２５を備えている。血圧計９６は、押圧面３１を外耳１０２に向けて押圧容器３２が外耳装着機構２５と固定されている。図８では、一例として、外耳１０２が耳珠である場合を示した。また、図８では、外耳装着機構２５の他に押圧面３１及び押圧容器３２のみが記載されているが、これに限られるものではなく、前述の実施形態１、２及び３で説明したいずれの構成であってもよい。
【００９５】
外耳装着機構２５は、押圧容器３２を外耳１０２へ装着するものである。装着する部位に合わせた機構とすることが好ましい。例えば、図８に示したように、外耳１０２が耳珠であれば、耳珠を挟む機構とすることができる。また、外耳が耳輪であれば、耳輪に覆って装着する機構や、窪みに固定する機構が例示できる。このように、外耳装着機構２５をさらに備えることにより、外耳１０２へ常時装着し、入浴時を含め外耳１０２で継続的に血圧値を測定することが可能な血圧計を提供できる。
【００９６】
なお、外耳装着機構２５は、押圧容器３２を人体へ装着する人体装着機構としてもよい。人体装着機構は、例えば、腕、指、首又は胴体に押圧容器を装着するベルトである。人体装着機構がベルトの場合、ベルトの長さを調節して、着脱できるものが好ましい。人体装着機構をさらに備えることにより、血圧計を常時人体へ装着し、入浴時を含めて継続的に血圧値を測定することが可能な血圧計を提供できる。
【００９７】
さらに、血圧計は、外耳装着機構及び人体装着機構の両方を備えてもよい。
【００９８】
なお、前述の実施形態１から実施形態４において、血圧計の防水性は、日常生活に耐えうる防水性を有するものが好ましい。例えば、シャワーを浴びたときの水の浸入に耐えうるもの、浴槽に浸かったときの水圧に耐えうるもの、水泳をするときの水圧に耐えうるものである。さらに、ダイビングでの水圧に耐えうるものでもよい。
【００９９】
以上説明したように、実施形態１から実施形態４に係る血圧計は、被検体の一部を押圧するカフに防水容器を用い、血圧計全体としても防水性を有する。血圧計全体として防水性を有することにより、浸水する可能性の高い場所でも装着し続け、血圧値を継続的に測定することができる。これにより、入浴時を含め継続的に血圧値の測定が可能な血圧計を提供できる。
【産業上の利用可能性】
【０１００】
本発明により、入浴中ばかりでなく、水泳などの水中運動をする際の血圧値の監視にも応用できる。
【図面の簡単な説明】
【０１０１】
【図１】実施形態１に係る血圧計の模式図である。
【図２】実施形態１に係る押圧部の他形態の一例を示す模式図である。
【図３】脈波検出手段の検出する脈波の一例を示すグラフであり、（ａ）は圧力の時間推移、（ｂ）は脈動波形振幅の時間推移を示す。
【図４】実施形態２に係る血圧計の一例を示す模式図である。
【図５】実施形態２に係る他の血圧計の一例を示す模式図である。
【図６】実施形態３に係る血圧計の一例を示す模式図である。
【図７】実施形態３に係る他の血圧計の一例を示す模式図である。
【図８】実施形態４に係る血圧計の一例を示す模式図である。
【符号の説明】
【０１０２】
１１  押圧部
１２  圧力計
１３  脈波検出手段
１４  血圧決定手段
１６  タイマー
１７  記憶手段
１８  出力手段
１９  比較手段
２０  スピーカ
２１  空気ポンプ
２２  給排気口
２５  外耳装着機構
２６  ガスボンベ
３１  押圧面
３２  押圧容器
３３  収容容器
３４、３５  接続部
４１  Ｏリング
４２  防水パッキン
４３  シーリング材
５１  防水部
５２  非防水部
６１  動脈内圧
６２  押圧圧力
６３  脈動波形
９１、９２、９３、９４、９５、９６  血圧計
１０１  被検体
１０２  耳珠
１１１  押圧方向
【図１】
2006192175.tif 000003
【図２】
2006192175.tif 000004
【図３】
2006192175.tif 000005
【図４】
2006192175.tif 000006
【図５】
2006192175.tif 000007
【図６】
2006192175.tif 000008
【図７】
2006192175.tif 000009
【図８】
2006192175.tif 000010